(57)【特許請求の範囲】
【請求項１】
少なくとも一対のスロット開口部を有する本体部材であって、前記スロット開口部が前記本体部材の両端部に形成されている本体部材と、
前記スロット開口部に配置されたカミソリ刃と、
前記本体部材の各端部に１つずつ配置されたそれぞれが一体の弾性体からなる一対のクリップを有し、
前記各クリップは、前記スロット開口部内に前記刃を保持するために、前記各端部を包囲し、前記スロット開口部の一部をカバーし、前記スロット開口部域において前記刃と交叉する方向に前記刃を完全に横切って延びており、
上記各クリップは、さらに前記本体部材の各端部の底面に沿って終了する一対のクリップ端部を有するカミソリ刃組立体において、
上記各クリップが有する各々のクリップ端部は、本体部分の底面に、各クリップの両方のクリップ端部が前記刃の長手方向に対して交叉する方向に動くことを阻止するように係合し、このため各クリップの一対のクリップ端部が互いに離間することを阻止する、カミソリ刃組立体。
【請求項２】
各クリップの各クリップ端部と本体部材のうち、一方にボスが設けられ、他方に、上記ボスを受け入れるように形成され、ボスと対応する切欠部分が設けられ、これらボスと切欠部分とにより上記係合が行われる、請求項１記載のカミソリ刃組立体。
【請求項３】
前記ボスが、前記本体部材の底面に形成され、前記ボスを挿入する切欠部分が前記クリップ端部に形成されている、請求項２記載のカミソリ刃組立体。
【請求項４】
前記ボスは前記クリップ端部側に突出する半円筒状に形成されており、クリップ端部の縁部に受けられる、請求項３記載のカミソリ刃の組立体。
【請求項５】
前記ボスが円筒形であり、前記クリップ端部には、前記ボスを受けるための円形の開口部が形成されている、請求項３記載のカミソリ刃組立体。
【請求項６】
上記係合部は、前記本体部材の底面に形成された開口部と、前記本体部材の底面に形成された開口部に係合保持されるように前記クリップ端部に形成された係合部分とから成る、請求項１記載のカミソリ刃組立体。
【請求項７】
前記本体部材には、前記刃を各クリップに接触するように上方に付勢し、前記カミソリ刃の各々に接触することによって前記カミソリ刃をバネ偏倚するばねフィンガが形成されている、請求項１乃至６のいずれかに記載のカミソリ刃組立体。
【発明の詳細な説明】
本発明は、安全カミソリ刃組立体に関し、特にひげそり作動中に加わる力に応じて独立して動くことができる刃を有する安全カミソリ刃組立体に関する。
1984年4月17日に付与された米国特許第4,442,598号、1985年1月8日に付与された米国特許第4,492,024号、1986年5月6日に付与された米国特許第4,586,255号、及び1985年11月12日に付与された米国特許第4,551,916号は、それぞれChester F.Jacobsonに付与され、本発明の譲受人に譲渡されたものであるが、これらの発明においては、刃がばねフィンガによって支持されており、ひげそり動作中に加わる力に応答して刃部材が独立して動くことができるカミソリ刃組立体が示されている。独立した部品として、またはカミソリ本体と一体的に形成されたばねフィンガが、刃の支持体として、及びひげそり動作中に刃に対してカミソリ刃本体から外方に力を及ぼす偏倚装置として作動する。
これらのかみそり刃組立体の各々において、刃の端部は、カミソリ本体のスロットに保持され、カミソリ本体から分離しているガード部分と共に、刃をばねフィンガに向けて下方に保持する保持クリップによって所定の位置に保持されている。クリップの数は一般に２つであり、カミソリ刃本体の各側を保持している。このクリップは、カミソリ刃本体の周りに卷装され、その端部は刃の切断縁の側からカミソリ本体の反対側に配設されている。
前述した特許に示したカミソリ刃組立体は、製造の成功、及び製造の容易性の双方を提供したが、カミソリ組立体が物体に対して不意に当たることによってカミソリに強い衝撃が生じた場合、またはカミソリ刃組立体を落とした場合、クリップの端部が互いに離れるように動き、それによってカミソリ刃本体の一体性が危うくなる。
本発明の目的は、カミソリ刃本体部材に保持された刃の向き及び他の部材がカミソリの使用中に正しい向きに保持されているようにした、上述したタイプのカミソリ刃組立体を提供することである。
本発明の他の目的は、カミソリ刃組立体の種々の部品が組立体が不意に衝撃を受けた場合にも正しい向きに保持されるカミソリ刃組立体を提供することである。
本発明の他の目的は、構造が簡単で製造が容易であり、使用中に各部材を正しい向きに保持する機能を有するカミソリ刃組立体を提供することである。
前述した目的及び下記説明で明らかになる他の目的は、本体の側部に一対のスロット開口部を有するカミソリ本体部材と、本体部材からばね偏倚されている刃が上記開口部に配置されているカミソリ刃とを有するカミソリ刃組立体を提供することによって達成される。一対のクリップが本体部材の各側部に１つづつ配置されており、各クリップはスロット開口部の側方部分を取り囲み、ばね偏倚に対してスロット開口部に前記刃を保持する。クリップは、前記本体部材の側部の底面に沿って終了する端部部分を有し、本体部材の底部部分の方向に沿ってクリップ端部の動きを阻止する手段が設けられている。
クリップ端部の動きを阻止する手段は、クリップ端面と本体部材の底面との間に相互接合係合部を有しており、係合する面の１つは、外方に延びるように形成されたボスを有し、他方の係合する面には上記ボスを受けるための上記ボスに対応する輪郭を有する開口部が形成されている。このボスは、本体部材の底面に形成され、開口部はクリップ端部に形成されている。
ボスは、クリップ端部の一方の縁部に向かって延び、そのクリップ端部の一方に係合される弧状面に形成されてもよい。
しかしながら、ボスは円筒形であり、クリップ端部にボスを受けるために形成された円形の開口部を設けてもよい。
他の態様において、クリップ端部の動きを阻止する手段は、本体部材底面に形成された開口部と、開口部に接合係合するように形成されたクリップ端部を有する。
さらに、カミソリ刃組立体は、本体部材内に形成され、本体部材から上方にばね偏倚されたカミソリ刃を有する少なくとも１つの他のスロット開口部を有する。
ばね偏倚部材は、刃を上方に押してクリップの各々に接触するようにカミソリ刃の各々に接触する本体部材に形成されたばねフィンガである。
以下、好ましい実施例及び添付図面を参照して本発明の上記及び他の特徴を説明する。
第１図は、本発明によって製造されたカミソリ刃組立体を示す分解斜視図である。
第２図は、第１図のカミソリ刃組立体を組み立てられた形態で示す平面図である。
第３図は、第２図のラインＩＩＩ−ＩＩＩに沿って一部を切断した、第２図のカミソリ刃組立体の詳細図である。
第４図は、一部を除去し、あきらかにするために拡大して示した第１図，第２図の詳細図を示す部分底面図である。
第５図は、第４図の線Ｖ−Ｖに沿って切り、９０°回転した構造の詳細を示す図面である。
第６図は、本発明の他の実施例を示す第４図と同様の底面図である。
第７図は、第６図の線ＶＩＩ−ＶＩＩに沿って切り、９０°回転し、第６図の構造の詳細を示す側断面図である。
第８図は、本発明の他の実施例を示す第４図及び第６図と同様の底面図である。
第９図は、第８図の線ＩＸ−ＩＸに沿って切り、９０°回転し、第６図の構造の詳細を示す側断面図である。
第１０図は、本発明の他の実施例の詳細を示す第５図、第７図及び第９図と同様の側断面図である。
図面、特に第１図乃至第５図を参照すると、本体部材２を有する刃の組立体は、前面部及び後面部８及び１０によって相互に接続された第１の端部４及び第２の端部６を有している。本体部材２の後面部１０は、組立体の刃装置の後方で皮膚と係合する上面部１４を有する。
フレーム部１２が、前面部及び後面部８及び１０を相互に接続するように本体部材の幅方向に延びており、各端部には、フレーム部１２と直交する方向に配置された対向スロット１６が設けられている。
第１の端部４には、第１図に示すように、本体部材の内側及び上方に延び一体的に成形されたばねフィンガ１７が設けられている。フィンガ１７の各々は、上面２１を有する端部部分１９を備えている。同様の方法で、第２の端部６には、上面２１′を有する端部部分１９′を備えた同様の形状のばねフィンガ１７′が設けられている。フィンガ１７，１７′は、全体が対向する方向に向いており、フィンガ１７は、全体が第１の端部４から第２の端部６に向かって延びており、フィンガ１７′は、全体が第２の端部６から第１の端部４に向かって延びている。フィンガ１７，１７′は、各々が一対のスロット１６と整列している。
カミソリ刃組立体はガード部２４を有し、そのガード部２４は各端部に、前面部８に最も近い一対の対向するスロット１６に係合された摺動可能な部分を有しており、ガード部２４の底部は、対向して突出する一対のばねフィンガ１８，１８′の面２２及び２２′に載置されており、この対向するように突出しているばねフィンガ１８，１８′は、第２図に示すように各フレーム部のベースから外側及び上方に延びている。ガード部２４を支持するばねフィンガ１８，１８′は、ガード部分を弾性的に支持する１組の支持部材を有している。ひげそり動作中において、ガード部２４は、刃装置の前方でひげをそられている表面上を移動する。
さらにカミソリ刃組立体は、刃のベース部３０と、ベース部及び端部３３及び３４から延びる切断縁部３２、３２′とを有する刃装置２８、２８′を有している。端部３３及び３４の各々は、各対向スロット１６に摺動可能に受けられ、ベース部３０の底部は、ばねフィンガ１７または１７′の上面２１または２１′に乗る。本体部材２の後面部１０には、第２図に最もよく示すように細長い開口部１３が設けられており、その細長い開口部１３は、後面部１０の上方及び後方部の構成を形成するために後面１１４側に湾曲された上面を有する挿入部材１１０を有する。挿入部材１１０は、カミソリ刃組立体の大部分の長さにわたって細長く伸びていることが好ましく、開口部１３に永久的に固定される。
ガード部２４及び第１及び第２の刃２８及び２８′は、端部４及び６のスロット４２に受けられる一対の弾性ばねクリップ５０及び５１によって所定の位置に保持されている。クリップ５０及び５１は、ガード部２４及び刃２８及び２８′に係合してガード部分でばねフィンガ１８及び１８′に、また刃２８及び２８′のベース部分の底縁に接触するばねフィンガ１７及び１７′にわずかな応力を受ける点までスロット１６にそれらを押し込む。
前述した組立体は、ChesterF.Jacobsonに付与された米国特許第4,586,255号に説明されたものと次の点、すなわち、以下に詳細に説明するように本体部材２に取り付けられている新しいクリップ５０，５１を除いて同様である。
第４図及び第５図を参照すると、本体部材２の端部６は、本体の底面から外側に延び、各々が対向する半円筒状表面に面する半円筒状の外周面６０、６２、６４、６６を有する複数のボス５２，５４，５６及び５８を有している。クリップ５０は、クリップが溝４２内で相互に適合して係合するように係合されたとき、ボス５２，５４，５６及び５８を受ける一対の半円弧状の切欠部分７０，７２，７４，及び７６を有する。
またクリップ５１には、クリップ５０の構造と同様に半円弧状の切欠部分７１，７３，７５及び７７が設けられれており、上述したようにクリップ５１を受けるように端部６に示されるものと同様の手段が端部４に形成されている。
図示したように形成されるクリップ５０、及びボス５２，５４，５６及び５８で受けられるクリップの端部によって、本体部材２がひげそり操作中に不意に落下するか、他の物体に対して当たった場合に、本体部材の底面の方向に沿ったクリップの端部の動きが阻止される。
第６図及び第７図を参照すると、カミソリ刃組立体の他の実施例が示されている。この態様は、クリップ５０ａ及び５１ａ（５１ａは図示しない）を受けるように製造される本体部材２ａに一対のクリップ５０ａ及び５１ａが設けられる。スロット４２の本体部材２ａの底面には、本体部材２ａの底面から外側に延びており、円筒形の形状の一対のボス８０，８１が設けられている。クリップ５０ａの各側では、前の実施例のボス５２，５４，５６に対して同様の方法で相互に係合するようにボス８０及び８１を受ける円形の開口部が形成されている。また、本体部材２ａの対向する端部部分４において、第６図及び第７図に示すカミソリ刃組立体と同様の構造がクリップ５０ａ及びボス８０及び８１を参照して説明した方法で本体部材の端部を固定するために提供されることも理解しなければならない。
第８図及び第９図を参照すると、本発明の他の実施例が示されている。この態様によれば、クリップ５０ｂは、クリップ５０ｂを受けるように構成された本体部材２ｂの端部４または端部６に装着されている。カミソリ刃組立体の他のすべての部品は、本体部材２及び２ａに関して説明したものと同一である。第８図及び第９図に示すように、クリップ５０ｂは、フランジ９０及び９１が形成された端部部分を有し、本体部材２ｂの底面にはスロット４２に、フランジ９０及び９１と係合するスロット開口部９２及び９３が形成されている。
第１０図において、本体部材２ｃの端部４及び６にクリップ５０ｃが組み立てられている他の実施例が示されている。クリップ５０ｃは、カミソリ刃組立体の組み立て中に本体部材の底面に押し込まれる複数のやじり９０を備えている。やじり９０は、任意の必要な数でよく、クリップ端部の近傍のクリップ５０ｃの端部に全体が形成されてもよく、また本体部材の底面に面するクリップ面に形成することもできる。
図示した実施例の各々において、クリップ５０，５０ａ，５０ｂまたは５０ｃの端部と本体部材２，２ａ，２ｂまたは２ｃの底面との係合は、使用中または収納中にカミソリを不意に落したり、或いは何かに当たった場合に、本体部材の底面の方向に沿ったクリップ端部の移動を阻止する。従って、カミソリ刃組立体の完全性を保証する各クリップによって、部品の一体性が保持される。
第１図乃至第５図の実施例を使用して行われた試験において、所定の大きさの負荷がガード及び刃のばねフィンガ部でカミソリ構造体の下側にわざと適用された。試験された５つのサンプルにおいて、各瞬間にカミソリの組立体からクリップ部分を外すために必要な力は、従来技術において平坦な端部を有する５つのサンプルの試験において測定されたものより大きかった。第１図乃至第５図の実施例によって製造される５つの組立体をカミソリハンドルに装着し、６０インチ（１５２ｃｍ）の高さからタイル表面上にわざと落下させ、表面を打つ試験において、５つすべてのサンプルが損傷を受けなかったが、従来技術のクリップを有する５つの組立体ではその内２つの組立体のみが完全な状態であるのみであった。従って、本体部材の底面に関するクリップ部材の動きを阻止する構造は、従来技術の構造に対して簡単で経済的な顕著な改良点を提供する。本発明の精神及び観点内で変形及び改造を行うことができることは明らかであるが、それは請求の範囲によって制限されるのみである。
【図１】
0003989539.tif 000002
【図２】
0003989539.tif 000003
【図３】
0003989539.tif 000004
【図４】
0003989539.tif 000005
【図５】
0003989539.tif 000006
【図６】
0003989539.tif 000007
【図７】
0003989539.tif 000008
【図８】
0003989539.tif 000009
【図９】
0003989539.tif 000010
【図１０】
0003989539.tif 000011